(57)【特許請求の範囲】
【請求項１】
浴室間を互いに覗き見不可能に設けられた間仕切りの一部又は全部に、水生生物を飼育するための水槽を設けた水槽付き間仕切りであって、
該水槽は各浴室内から水槽内を視認可能に透明な正背面側板を有してなり、
水槽内には複数枚の光非透過性目隠し板が具備されてなり、
前記目隠し板は水槽内の水生生物が通過可能な距離を有して正背方向に離隔すると共に、横方向側部が正背視が重合して配設され、該目隠し板の正背視重合部の離隔部を水生生物が通路として通過することで、水生生物が目隠し板の正背方向に自由に移動可能にし、
前記間仕切りにより分けられた浴室が相互に視認不可能に、平面から見て前記目隠し板の重合部に於ける対向側縁間を結ぶ仮想直線の延長線が、前記水槽の透明な正背面側板と交差しないように、目隠し板の重合位置関係が設定されていることを特徴とする水槽付き間仕切り。
【発明の詳細な説明】
【技術分野】
【０００１】  本願発明は男女浴室を互いの内部を見ることが出来ないように仕切るための間仕切りに関し、詳しくは間仕切りの一部に魚類等の水生生物を飼育する水槽を設け、入浴者が間仕切りで仕切られた隣の浴室を覗き見することなく水槽内の魚類等の水生生物を鑑賞しながら入浴を楽しみ心身共に癒されリラックス可能にした水槽付き間仕切りに関する。
【背景技術】
【０００２】  公衆浴場や宿泊施設の大浴場は、男性用浴室と女性用浴室に分かれている。男女浴室の境界には間仕切りとして、所定の肉厚を有するセメント壁を立設している。セメントが露呈している間仕切りは美観を呈しないためセメント壁の表面にタイル等を貼着した壁面が設けられていた。この男女浴室を仕切る間仕切りは、単なる壁面で何の変哲も無く、互いの浴室を覗き見及び往来できない仕切り壁としての存在でしかなかった。
従来、間仕切りを間仕切り以外の用途に使用するものとして、タイル陶片で富士山等の風景を表現したり、商品宣伝用公告板を貼着することがなされている。これらは、入浴施設の立地する地域との関連性を表現するものではなく、どの浴場の一律的で何の面白味もなかった。
ところで、日本は周囲が海に囲まれ南北に長い水産資源の豊富な国である。日本国内の観光地には、必ずといっていいほど、その地域の歴史的ないわれがあったり、特産の水生生物がある。食事を提供する宿泊施設では食膳に用いた水産物を給仕人が特産であること等を説明等して宿泊客をもてなしている。
入浴施設等で間仕切りに水生生物飼育用水槽を設け、この水槽内で入浴施設の立地する地域と関係を有する魚類等の水生生物を飼育すると、観光客等が事前知識として入浴施設立地地域と関連性のある魚を生きた状態で知ることができ、楽しいものである。
又、人は水生生物が陸生になることで進化をした生物である。人が海中の魚類等や哺乳類等の生物を見ると安らぎを感じ癒されるのは、人の祖先との関連性があるかもしれない。つまり、人の原点は海にあること、及び生物のなかで人類のみが被服をまとい、衣服をまとうことで社気的身分や財力等を第三者に誇示し、衣服をまとわず皆が裸体になると虚栄心や劣等感等から解放され、人は互いに身分や立場等の先入観念等にとらわれず裸の心で平等な気持ちで接することができることに本願発明者は気が付いた。人以外の生物と同様に何もまとうことなく裸体での入浴中に海中生物を見ることで心が癒され、又、祖父母、両親、孫等の世代間を超えて互いに楽しみながら癒される入浴施設を提供可能な装置を間仕切りとして設けることを創案するに至った。
浴室に観賞用の水槽を設けた施設としては特許文献１に開示のものが提案されている。特許文献１に開示の水槽付き風呂構造であると、浴槽と一体的になっており、水槽背部の階段や手すり等のためのスペースを必要とし、浴室に余分なスペースが必要となる。
【先行技術文献】
【特許文献】
【０００３】
【特許文献１】第３０３８００６号の登録実用新案公報
【発明の概要】
【発明が解決しようとする課題】
【０００４】  本願発明者は、従来から男女浴室を分ける間仕切り部分が間仕切りの役目のみしか果たしていないことに着目し、間仕切りに魚類飼育用の水槽を具備させ、間仕切りにより区分けされた男女浴室の両方から水槽内の魚類等の水生生物を鑑賞でき鑑賞用水槽としての作用を有し、しかも移動可能な魚類等は男性浴室側と女性浴室側を往来できるにも拘らず、男性浴室からは女性浴室を、女性浴室からは男性浴室を窺い知ることはできない間仕切りとしての作用をも併せて有する水槽付き間仕切りを提供することを目的とする。
【課題を解決するための手段】
【０００５】  上記目的を達成するために本願発明のうち請求項１に記載の発明は、浴室間を互いに覗き見不可能に設けられた間仕切りの一部又は全部に、水生生物を飼育するための水槽を設けた水槽付き間仕切りであって、該水槽は各浴室内から水槽内を視認可能に透明な正背面側板を有してなり、水槽内には複数枚の光非透過性目隠し板が具備されてなり、前記目隠し板は水槽内の水生生物が通過可能な距離を有して正背方向に離隔すると共に、横方向側部が正背視が重合して配設され、該目隠し板の正背視重合部の離隔部を水生生物が通路として通過することで、水生生物が目隠し板の正背方向に自由に移動可能にし、前記間仕切りにより分けられた浴室が相互に視認不可能に、平面から見て前記目隠し板の重合部に於ける対向側縁間を結ぶ仮想直線の延長線が、前記水槽の透明な正背面側板と交差しないように、目隠し板の重合位置関係が設定されていることを特徴とする。
【発明の効果】
【０００６】  魚類が光非透過性目隠し板の正背側に移動することで、間仕切りにより区分けされた男性浴室側と女性浴室側からも同じ魚類を鑑賞でき、楽しいという効果がある。
水槽内で飼育する魚類を入浴施設の立地された地理的な関連性のある水生生物にすること、すなわち、具体的には愛媛県松山市道後温泉では奈良の遺跡から愛媛県産の鯛の骨片が出土し万葉の時代から道後温泉と奈良の都との交流を証明する瀬戸内海の鯛を、愛媛県松野町では「お魚館」で飼育されている地元産のアカメを、徳島県では鳴門のわかめの林を植生し、北海道ではクリネオを飼育することで、入浴中にも入浴施設の立地する地域に関する歴史的或は海洋生物学的な知識を知る機会があり、どの世代でも楽しむことができ、癒され、世代を超えて銭湯等に行く機会が増え、家族の共通に会話が増え家族関係が円滑化し、他人同士でも入浴中に水槽を眺めることで穏やかになるという効果がある。
日本各地の水産業を外国からの入浴施設を利用する観光客に入浴施設を介してＰＲすることができるという効果がある。
【図面の簡単な説明】
【０００７】
【図１】水槽付き間仕切りの要部を示す斜視図である。（実施例１）
【図２】水槽付き間仕切りの水槽の平面図である。（実施例１）
【図３】水槽付き間仕切りの水槽の平面図である。（実施例２）
【図４】水槽付き間仕切りの水槽の平面図である。（実施例３）
【発明を実施するための形態】
【０００８】  水槽内に複数枚の光非透過性目隠し板を魚類が通過可能な距離を有して正背方向に離隔することで、魚が離隔部分を通路として目隠し板の正背側を往来し間仕切りにより隔離された夫々の浴室から同じ魚を鑑賞可能にし、目隠し板を目隠し板の重合部に於ける対向側縁間を結ぶ仮想直線の延長線が、水槽の透明な正背面側板と交差しないように水槽内に立設することで、魚類は鑑賞できても互いの浴室の覗き見は不可能にし鑑賞及び間仕切りの双方の作用を実現した。
【実施例１】
【０００９】  図１及び図２に基いて実施例１を説明する。男女浴室間に立設される間仕切り１の一部に水槽２が嵌めこまれている。水槽２は底面側板３、正背面側板４、５、天井板６及び左右側板よりなり、縦幅は間仕切り１の肉厚と同じか僅かばかり短い直方体に形成されている。正背面側板４、５は透明で耐薬品性及び耐衝撃性に優れた積層アクリル板等よりなることが好適である。実施例１ではアクアウオール（日プラ株式会社の製品名）を用いている。目隠し板７、８は耐水性を有する硬質性合成樹脂板を材料とすることが好適である。目隠し板７、８は水槽２の高さ方向長さが略同じの矩形状を呈し、正背方向に魚類が通過可能な距離を有して離隔して立設されている。目隠し板７、８は、内側方が正面視及び背面視が一部重合して水槽２内に配設されている。具体的には、図２に示すように、平面から視て目隠し板７、８の内側端縁間を結ぶ仮想直線９の延長線が透明な正背面側板４、５と交差しないような位置に目隠し板７、８は設定されている。このように設定すると、正背面側板４、５の外側に存在する男女何れの浴室からも相手方の浴室内を視認することはできないからである。水槽２には水槽２内の水を循環するためのパイプ１０が連通開口されており、水を循環させることで、水温を一定化し浄水する。パイプ１０は間仕切り１内を貫通して外部の循環装置（図示せず）と連通接続されている。又、水槽２には空気供給パイプ１１が連通開口され、外部に設けた酸素発生装置（図示せず）から発生した酸素を水槽２内の水に供給するようにしている。空気供給パイプ１１は間仕切り１の内部を貫通して外部に設けた酸素発生装置（図示せず）と連通接続されている。
【実施例２】
【００１１】  図３に基いて実施例２を説明する。中空直方体の水槽２の内側には水槽２の高さ方向長さが略同じの目隠し板１２、１３、１４、１５が立設されている。実施例２では、水槽２の横方向略中央位置に魚類が通過可能な距離を有して正背方向に離隔された目隠し板１３、１４の内側に、内側端縁が位置するように目隠し板１２、１５が立設されている。目隠し板１２、１５の内側端縁は魚類が通過可能な距離を有して横方向に離隔並設されている。平面から視て、目隠し板１２の内側端縁と目隠し板１３の目隠し板１２側端縁とを結ぶ仮想直線１６の延長線も、目隠し板１５の内側端縁と目隠し板１３の目隠し板１５側端縁とを結ぶ仮想直線１７の延長線も目隠し板１４と交差する位置に配設されている。平面から視て、目隠し板１２の内側端縁と目隠し板１４の目隠し板１２側端縁とを結ぶ仮想直線１８の延長線も、目隠し板１５の内側端縁と目隠し板１４の目隠し板１５側端縁とを結ぶ仮想直線の延長線１９も目隠し板１３と交差する位置に配設されている。このように目隠し板１２、１３、１４、１５の配設位置を設定すると、正背面側板４、５の外側に存在する男女何れの浴室からも相手方の浴室内を視認することはできず、魚類は目隠し板１２、１５の正背方向に自由に往来できるからである。
【実施例３】
【００１２】  図４に基いて実施例３を説明する。中空直方体の水槽２の内側には水槽２の高さ方向長さが略同じの目隠し板２０、２１、２２、２３、２４が立設されている。実施例３では、水槽２の横方向両側部に魚類が通過可能な距離を有して正背方向に離隔された目隠し板２０、２１、２３、２４が立設されている。目隠し板２０、２１の正背方向略中央位置と目隠し板２３、２４の正背方向略中央位置との間には目隠し板２２が立設されている。平面から視て、目隠し板２０の内端縁と目隠し板２２の目隠し板２０側の端縁とを結ぶ仮想直線２５の延長線は目隠し板２１と交差し、目隠し板２１の内端縁と目隠し板２２の目隠し板２１側の端縁とを結ぶ仮想直線２６の延長線は目隠し板２０と交差し、目隠し板２３の内端縁と目隠し板２２の目隠し板２３側の端縁とを結ぶ仮想直線２７の延長線は目隠し板２４と交差し、目隠し板２４の内端縁と目隠し板２２の目隠し板２４側の端縁とを結ぶ仮想直線２８の延長線は目隠し板２３と交差するように配設されている。視線は目隠し板２０、２１、２３、２４が障害となって、正背面側板４、５の外側に存在する男女何れの浴室からも相手方の浴室内を視認することはできず、魚類は目隠し板２２の正背方向に自由に往来できるからである。
【符号の説明】
【００１３】  １  間仕切り
２  水槽
４、５  正背面側板
７、８、１２、１３、１４、１５、２０、２１、２２、２３、２４  目隠し板
９、１６、１７、１８、１９、２５、２６、２７、２８  仮想直線
【図１】
0005633596.tif 000002
【図２】
0005633596.tif 000003
【図３】
0005633596.tif 000004
【図４】
0005633596.tif 000005